(57)【要約】【課題】駆動装置を構成するコイル枠と羽根部材を運動規制する突起と、磁石ロータの軸受部とを一体成型で形成し、部品点数と組立工数を少なくする。【解決手段】光量調整装置を、光量を調節する光量調節羽根と、外周にコイルを巻回したコイル枠に磁石ロータを内蔵した駆動手段と、上記磁石ロータに一体に設けられ上記光量調節羽根と係合する駆動アームとで構成するに際に、まず上記コイル枠を上記磁石ロータの軸方向上下に分割した２つのコイル枠で構成する。コイル枠の一方は、上記ロータの回転軸を支持する軸受けと、上記コイルを巻回する凹溝と、上記光量調節羽根と係合して羽根の開閉を案内する突起とを例えば合成樹脂などのモールド成形で一体に成型する。他方のコイル枠は、上記磁石ロータの回転軸を支持する軸受けと、上記コイルを巻回する凹溝と、外周に形成され上記磁石ロータを覆うヨークのヨーク嵌合部とを形成する。【選択図】図３
2005301313.tif 000002
【特許請求の範囲】
【請求項１】
光量を調節する光量調節羽根と、
外周にコイルを巻回したコイル枠に磁石ロータを内蔵した駆動手段と、
上記磁石ロータに一体に設けられ上記光量調節羽根と係合する駆動アームとを備えた光量調節装置において、
上記コイル枠は上記磁石ロータの軸方向上下に分割した２つのコイル枠で構成され、
このコイル枠の一方には、上記ロータの回転軸を支持する軸受けと、上記コイルを巻回する凹溝と、上記光量調節羽根と係合して羽根の開閉を案内する突起がそれぞれ一体成型により形成され、
上記他方のコイル枠には、上記磁石ロータの回転軸を支持する軸受けと、上記コイルを巻回する凹溝と、外周に形成され上記磁石ロータを覆うヨークのヨーク嵌合部とが備えられ、
上記２つのコイル枠は上記ヨークの内側に上記軸受けと上記凹溝とが位置し、このヨークの外側に上記光量調節羽根と係合する突起と、上記光量調節羽根に形成された係合溝に係合する上記駆動アームの係合部が位置するようにそれぞれ構成されていることを特徴とする光量調節装置。
【請求項２】
前記光量調節羽根の開閉を案内する突起は、該光量調節羽根を支持する平坦面に形成され、この突起に支持された光量調節羽根は該平坦面に沿って開閉動することを特徴とする請求項１に記載の光量調節装置。
【請求項３】
光量を調節する光量調節羽根と、
外周にコイルを巻回したコイル枠に磁石ロータを内蔵した駆動手段と、
上記磁石ロータに一体に設けられ上記光量調節羽根と係合する駆動アームとを備えた光量調節装置の製造方法であって、
上記コイル枠は上記磁石ロータの軸方向上下に分割された２つのコイル枠で構成され、
このコイル枠の一方に、上記ロータの回転軸を支持する軸受けと、上記コイルを巻回する凹溝と、上記光量調節羽根と係合して羽根の開閉を案内する突起をそれぞれ一体成型により形成し、
上記コイル枠の他方に、上記磁石ロータの回転軸を支持する軸受けと、上記コイルを巻回する凹溝と、外周に設けられ上記磁石ロータを覆うヨークのヨーク嵌合部とを形成し、
上記駆動アームには上記２つのコイル枠を合体して上記ロータを内蔵した状態で上記ヨーク嵌合部の外側で上記光量調節羽根に形成した係合溝に嵌合する係合部を形成し、
上記２つのコイル枠を合体して上記ロータを内蔵した後、上記コイルを上記凹溝に沿って巻回し、
次いで上記ヨーク嵌合部へのヨークの嵌合と、上記突起への上記光量調節羽根の係合と、上記光量調節羽根の係合溝への上記駆動アームに形成した係合部の嵌合を行うようにしたことを特徴とする光量調節装置の製造方法。
【発明の詳細な説明】
【技術分野】
【０００１】
本発明は、カメラなどの撮像光路中に組み込まれ、シャッタ、絞り装置などの撮影光量を調節する光量調節装置に係わり、光軸開口に配置された羽根部材と、この羽根部材を入力信号に応じて駆動する駆動手段とから構成される光量調節装置に関する。
【背景技術】
【０００２】
従来この種のカメラ用シャッタ、絞り装置などの光量調節装置は、例えば図７に絞り装置として示すように、一対の光量調節羽根３、４を地板１に開閉自在に取付けて光軸開口を調節するようにしている。そしてこの羽根３、４に駆動モータのロータ５に取付けた駆動アーム７を係合して開閉制御している。駆動モータは外周にコイルを巻回した一対のコイル枠８ａ、８ｂと、その内部に回転軸６を回動自在に支持したロータ５と、このコイル枠の外周を覆うヨーク９とで構成している。
【０００３】
尚、図示１０はコイル枠底部を覆うキャップであり、図示２は地板上の羽根を覆うカバー部材（押さえ板）である。そして光軸開口に羽根を開閉自在に臨ませる地板と、駆動モータとは別々に製作した上で地板に駆動モータを取付けている。この取付けは、例えば特許文献１及び２などに開示されているように羽根を支持する地板にステム状の取付部材を一体成型で設け、この取付部材にコイル枠とロータとヨークとを組込んでいる。このように地板に一体成形した１本或いは２本のステムにコイル枠を取付けるためにはコイル枠はロータの回転軸を挟んで左右に２分割し、この左右のコイル枠をステムを挟んで合体することによって駆動モータを地板に取付けている。
【０００４】
従って左右に２分割したコイル枠に磁石ロータの回転軸を軸支する軸受部を一体成形することは加工上困難でありいずれの特許文献のものもコイル枠とは別のキャプ部材を設け、このキャップ部材に軸受部を形成しているため、部品点数が多く、その組立ても煩雑となる特徴がある。
【０００５】
また、引用文献３には上下に２分割したコイル枠に軸受部を形成してマグネットロータを軸受け支持するアクチュエータが提案されているが、同公報のものはこのアクチュエータと地板とを個別に製作して地板にアクチュエータを取付けるようにしたものが開示されている。尚同公報には地板へのアクチュエータの取付け及び羽根部材へのロータの駆動連結の具体的構造は開示されていない。このようにいずれの特許文献に提案されているものもコイル枠と地板とは個別に製作している。
【０００６】
一方、本件出願より先行する特許文献４の特許出願には、上下に分割したコイル枠の一方を地板と一体成形するものが開示されているが羽根部材の支持およびロータの駆動連結は図８に示す構造を採っている。つまり上下に分割したコイル枠１及び２の一方と地板を、コイル枠の他方と支持板とをそれぞれ一体成形し、ロータ５の回転軸３に羽根６を回転可能に支持して地板と支持板とで羽根を挟むように保護する構造が提案されている。このような構造では羽根６の端縁６aがヨーク9の内部に進入するため軟磁性材などの金属で羽根を形成するとヨーク内の磁気回路に影響を及ぼすことがあり、またその製造方法は羽根６をロータ軸３に取付けた後にコイル８を巻回することとなる。
【特許文献１】特開平０７−２８１２５２号公報（図１）
【特許文献２】実開平０５−０６４８３５号公報（図１）
【特許文献３】実開平０２−０７８９３４号公報（６ページ図２）
【特許文献４】特願平０８−２０２４２２号（特開平１０−４８６９７号公報）
【発明の開示】
【発明が解決しようとする課題】
【０００７】
上述のように従来光量調節羽根を支持する基板（地板）と駆動モータを構成するロータ、コイル枠、ヨークなどはそれぞれ個別に製作し、駆動モータを組立てた後これを基板に取付けている為、個々の部品を大きく構成してこれを製造し、組立てなければ位置精度が得られない。従って、装置は大型で組立などコストも高くなる欠点があった。同時に前掲特許文献１、２のように駆動モータを地板に取付ける際に、地板に一体成形した取付用のステム状取付部材を左右に区割したコイル枠で抱え込むようにして固定する方法は磁石ロータを軸受け支持するコイル枠とは別の部材が必要となり、部品点数が多くなることは勿論、それぞれの部品精度が円滑な磁石ロータの回転に影響を及ぼす問題がある。
【０００８】
更に前掲特許文献４の方法は、羽根部材を磁石ロータの回転軸に嵌合支持しているため複数の羽根部材を回動或いは手動自在に支持することが出来ず、同時に軟磁性材などの金属材料で羽根を形成するとロータを回転する磁気回路に影響を及ぼし安定した駆動回転が得られない問題がある。またその製作は羽根部材をコイル枠内に組込で磁石ロータの回転軸に嵌合支持した後、コイルを巻回する方法を採らざるを得ないため組立が煩雑でコストを要する欠点がある。
【０００９】
そこで本発明は、駆動装置を構成するコイル枠と羽根部材を運動規制する突起と、磁石ロータの軸受部とを一体成型で形成し、部品点数が少なく、組立工数も少なく安価に製造することが可能であり、同時にロータを回転する磁気回路に羽根部材が影響を及ぼすことがなく常に安定した駆動回転が得られる光量調節装置の提供をその課題としている。更に、本発明は、コイル枠にコイルを巻回した後に羽根部材を運動規制する突起に係合して組込み、この状態で羽根部材と磁石ロータとの駆動連結を行うことが出来、組立及び分解が容易である製造方法の提供をその課題としている。
【課題を解決するための手段】
【００１０】
上記課題を解決するため本発明は次の構成を採用したものである。
まず、請求項１の発明は光量調整装置を、光量を調節する光量調節羽根と、外周にコイルを巻回したコイル枠に磁石ロータを内蔵した駆動手段と、上記磁石ロータに一体に設けられ上記光量調節羽根と係合する駆動アームとで構成する。そして上記コイル枠は上記磁石ロータの軸方向上下に分割した２つのコイル枠で構成する。このときコイル枠の一方には、上記ロータの回転軸を支持する軸受けと、上記コイルを巻回する凹溝と、上記光量調節羽根と係合して羽根の開閉を案内する突起を例えば合成樹脂などのモールド成形で一体成型する。同様に他方のコイル枠には、上記磁石ロータの回転軸を支持する軸受けと、上記コイルを巻回する凹溝と、外周に形成され上記磁石ロータを覆うヨークのヨーク嵌合部とを成形する。
【００１１】
そして、上記２つのコイル枠は上記ヨークの内側に上記軸受けと上記凹溝とが位置し、このヨークの外側に上記光量調節羽根と係合する突起と、上記光量調節羽根に形成された係合溝に係合する上記駆動アームの係合部が位置するようにそれぞれ構成する。
【００１２】
つまり、後述の実施例のように、上記ヨークの中心部に軸受部が、その周囲にコイルがそれぞれ位置し、このヨークの外側に光量調節羽根を運動規制する突起と、この光量調節羽根に駆動伝達する伝動アームの係合部が位置するような位置関係に構成する。これによって、部品点数の削減とその加工及び組立工数の削減が可能となる。
【００１３】
また、請求項２の発明は、前記光量調節羽根の開閉を案内する突起は、該光量調節羽根を支持する平坦面に形成され、この突起に支持された光量調節羽根は該平坦面に沿って開閉動するようにしたものであり、光量調節羽根は突起で運動規制され、この突起の植設部の平坦面によって円滑な開閉運動が可能となる。
【００１４】
更に、請求項３の発明は、請求項１の光量調節装置の製造方法であって、前記コイル枠を前記磁石ロータの軸方向上下に分割された２つのコイル枠で構成し、このコイル枠の一方に、上記ロータの回転軸を支持する軸受けと、上記コイルを巻回する凹溝と、上記光量調節羽根と係合して羽根の開閉を案内する突起をそれぞれ一体成型により形成する。また前記コイル枠の他方は、上記磁石ロータの回転軸を支持する軸受けと、上記コイルを巻回する凹溝と、外周に設けられ上記磁石ロータを覆うヨークのヨーク嵌合部とを形成する。
【００１５】
そして上記駆動アームに上記２つのコイル枠を合体して上記ロータを内蔵した状態で上記ヨーク嵌合部の外側で上記光量調節羽根に形成した係合溝に嵌合する係合部を形成し、上記２つのコイル枠を合体して上記ロータを内蔵した後、上記コイルを上記凹溝に沿って巻回する。次いで、上記ヨーク嵌合部へのヨークの嵌合と、上記突起への上記光量調節羽根の係合と、上記光量調節羽根の係合溝への上記駆動アームに形成した係合部の嵌合を行う。これによって請求項１の発明と同様の結果を得ることが出来る。
【発明の効果】
【００１６】
本発明は、駆動装置を構成するコイル枠を磁石ロータの軸方向上下に分割して構成し、この上下のコイル枠に磁石ロータの回転軸を支持する軸受部と、コイルを巻回する凹溝を形成したものであるから軸受部を形成する特別な部品を必要とすることなく円滑に磁石ロータを軸受支持することが出来る。また上記コイル枠の一方に上記軸受部と、羽根部材を運動規制する突起と、コイルを巻回する凹溝とを一体成形し、他方のコイル枠に上記軸受部と、コイルを巻回する凹溝と、ヨークを嵌合するヨーク嵌合部とを形成したものであるから、部品点数が少なくまた組立工数も少ない安価な装置の提供が可能である。
【００１７】
特に、ヨークの内側にロータを支持する軸受部とコイルを巻回する凹溝を配置し、このヨークの外側に羽根部材を係合する突起と、駆動アームの係合部をそれぞれ配置したので例えば羽根部材を軟磁性材などの金属材料で構成してもヨーク内に形成される磁気回路に影響を及ぼすことがなく安定した駆動回転が得られる。これと同時にその製造方法はコイル枠にコイルを巻回した後に羽根部材を突起に嵌合して組付け、この状態で羽根部材に駆動アームの係合部を連結することが可能であり装置の組立、分解が容易であるなどの効果を奏する。
【発明を実施するための最良の形態】
【００１８】
以下、図面に基づき本発明の実施の形態を説明する。図１はカメラの絞り装置を示す平面図である。図２は図１における断面図を、図３は同じく図１の底面図を示している。絞り装置２０は、駆動手段である駆動モータ３０と図５Ａ、図５Ｂのような光量調節羽根としての一対の絞り羽根４０、４１とからなっている。そしてこの駆動モータ３０の回転軸３１に固定された駆動アーム３２と絞り羽根とが係合している。そして、上記絞り羽根４０、４１は極めて薄い特殊な金属材料などで形成され、地板などの支持部材に支持されている。駆動モータ３０のコイル枠５０は、図６の斜視図に示すように回転軸３１と直交する面で２分した第１コイル枠５１と、第２コイル枠６０とから構成されている。
【００１９】
図４は上記第１コイル枠５１の縦断面図を示すものである。第１コイル枠５１は、枠体部５２と、絞り羽根４０、４１を支持する平坦面を有する支持部５３とを一体成型で形成している。枠体部５２には、縦断面図２に示すように、図示しないコイルを巻回するための凹溝（巻回溝）５２１が設けられている。一方、支持部５３には、絞り羽根４０、４１の各案内溝４０ａ、４０ｂ、４１ａ、４１ｂなどに嵌合して案内する案内突起５３１、５３２、５３３、５３４が突設され、この突起によって羽根の移動を規制している。このように第１コイル枠５１は図６に示すように外面側に上記平坦面５３と上記案内突起５３１、５３２、５３３、５３４と凹溝５２１とが形成されている。
【００２０】
また、案内突起５３２と同５３４とは、それぞれ案内溝４０ｂ、４１ｂと嵌合して、サイド方向の摺動案内ばかりでなく、平坦面５３の対面方向（図４上下方向）も支持している。第２コイル枠６０は図２、図６に示すようにほぼ円筒形で、後述の永久磁石に成るロータ３３を回転自在に収容する空洞部６０１が形成されている。そしてその外面側には、上記第１のコイル枠５１のコイルの巻回溝５２１に対応する巻回溝６０２が形成され、内面側には後述のロータ３３の回転軸３１の支承孔（軸受）６０３が設けられている。なお、第２のコイル枠６０は第１のコイル枠５１にビス６１によって結合されている。
【００２１】
回転軸としてのロータ軸３１はロータ３３の中心を貫通して一体化されており、軸の両端は第１のコイル枠５１の内面側に形成した支承孔（軸受）５２２と、第２のコイル枠６０の内面側に形成した支承孔（軸受）６０３とによって、回転自在に支承されている。さらに上記ロータ軸３１には図１、２などのように絞り羽根４０、４１と係合して駆動力を伝える駆動アーム３２が固設されている。駆動アーム３２には絞り羽根４０、４１の各係合孔４０ｄ、４１ｄに係合する一対の係合部３２ａ、３２ｂが立設されている。
【００２２】
なお、この係合部３２ａ、３２ｂがそれぞれ絞り羽根４０、４１の係合孔４０ｄ、４１ｄに通された後、各羽根４０、４１の面直角方向のばたつきを押えるための抑え部材３４ａ、３４ｂが取り付けられるようになっている。そして、絞り羽根４０、４１はこれら抑え部材３４ａ、３４ｂと、第１のコイル枠５１の案内突起のうちの案内突起５３２、５３４によって２カ所ずつ面直角方向に支持されている。
【００２３】
従って特別なカバー部材を必要としない。駆動モータ３０の最外部を構成しているのは、薄い鋼板を巻いて形成した円筒形のヨーク３５で、第２のコイル枠６０の外周に形成されたヨーク嵌合部６０４に嵌着されている。なお、このヨーク３５には一部切欠部３５ａが形成されており、これはコイルに非通電のとき、ロータ３３を所定のホームポジッションに位置させる為である。
【００２４】
次に製造方法を説明する。先ずロータ軸３１と駆動アーム３２とを組み合わせ、しかる後駆動アーム３２をロータ３３に嵌入して固定する。この際、ロータ３３のＮＳ磁極の方向と、駆動アーム３２との向きとは所定の関係位置に決めておく。これは後にヨーク３５の切欠部３５ａの位置とも関連して、非通電時における駆動アーム３２の位置を決めるためである。
【００２５】
しかる後、ロータ軸３１の駆動アーム３２側端部を第１のコイル枠５１の支承孔（軸受）５２２に、他の端部を第２のコイル枠６０の支承孔（軸受）６０３に挿入し、両コイル枠５１、６０を複数のビス６１によって結合する。次いで両コイル枠５１、６０のコイル巻回溝５２１、６０２に所定のコイルを巻回する。通常は、若干の間隔を隔てて駆動コイルと制動コイルとの組に分けて巻回するが、図示は省略してある。
【００２６】
次ぎに、ヨーク３５を、その切欠部３５ａの向きに注意して第２のコイル枠６０の外周に沿って嵌着する。次ぎに、絞り羽根４０の案内溝４０ａを支持部５３の案内突起５３１に、また案内溝４０ｂを同じく案内突起５３２に嵌合させ、案内溝４０ｃは案内突起５３４に係合させる。一方、係合孔４０ｄを駆動アーム３２の係合部３２ａに係合させる。そして、抑え部材３４ａを結合する。絞り羽根４１を同様にして第１のコイル枠５１の支持部５３と、駆動アーム３２の係合部３２ｂとに係合させる。なお、第２のコイル枠６０の空洞部６０１には、上記以外に、ロータ３３の回転位置の検出センサとして、ホール素子などが組み込まれており、また巻回されたコイルの端末を支持する端子ピンなどを備えても良い。
【００２７】
このようにして組立てられた絞り装置２０は、レンズを介してカメラの感光手段例えばＣＣＤの前方に組み込まれ、被写体の輝度情報に対応じた電流が駆動コイルに入力され、駆動コイルの形成する磁界によってロータ３３は回動し、駆動アーム３２が揺動して絞り羽根４０、４１を適度の開度位置に駆動する。しかして、絞り羽根４０、４１は従来のような大きな地板や絞りカバーなどを必要とせず、極めてコンパクトに構成される。
【図面の簡単な説明】
【００２８】
【図１】本発明を利用したカメラ用絞り装置の平面図である。
【図２】図１における断面図である。
【図３】カメラの絞り装置の底面図である。
【図４】第１実施例におけるコイル枠の第１コイル枠の縦断面図である。
【図５】（Ａ）は一方の絞り羽根の平面図であり、（Ｂ）は他方の絞り羽根の平面図である。
【図６】図１の装置のコイル枠の斜視図である。
【図７】従来の絞り装置の分解説明図である。
【図８】図７と異なる先行技術の説明図である。
【符号の説明】
【００２９】
２０  カメラの絞り装置（光量調節装置）
３０  駆動モータ（駆動手段）
３１  ロータ軸（回転軸）
３２  駆動アーム（出力アーム）
３３  ロータ
４０  絞り羽根（光量調節羽根）
４１  絞り羽根（光量調節羽根）
５０  コイル枠（第１実施例）
５１  第１コイル枠
５２  枠体部（コイル枠部分）（第１実施例）
５３  支持部（第１実施例）
６０  第２コイル枠
７０  コイル枠（第２実施例）
７１  枠体部（コイル枠部分）（第２実施例）
７２  支持部（第２実施例）
【図１】
2005301313.tif 000003
【図２】
2005301313.tif 000004
【図３】
2005301313.tif 000005
【図４】
2005301313.tif 000006
【図５】
2005301313.tif 000007
【図６】
2005301313.tif 000008
【図７】
2005301313.tif 000009
【図８】
2005301313.tif 000010